(57)【要約】【課題】  記録媒体の出し入れに掛かる手間を省くことで操作性を向上させ、かつコストダウンさせる。【解決手段】  開閉自在に構成された表示装置３と、記録媒体の挿出入口を覆い、かつ、一つの軸を中心に回動自在に構成された蓋体７が、蓋体７の先端に形成された突形状９と表示装置３上に形成された凹形状１４とが係合することにより、前記表示装置３を撮像装置本体と一体的な状態に保持することができるように構成された撮像装置において、その蓋体７が所定の角度θを境に、反転可能に回動するよう構成した。【選択図】  図２
2005167342.tif 000002
【特許請求の範囲】
【請求項１】
開閉自在に構成された表示装置と、記録媒体の挿出入口を覆い、かつ、一つの軸を中心に回動自在に構成された蓋体が、前記蓋体の先端に形成された突または凹形状と前記表示装置上に形成された凹または突形状とが係合することにより、前記表示装置を撮像装置本体と一体的な状態に保持することができるように構成された撮像装置において、その蓋体が所定の角度を境に、反転可能に回動するよう構成されたことを特徴とする撮像装置。
【請求項２】
請求項１に記載の撮像装置において、上記係合部を上記蓋体が乗り越えるときの上記蓋体の回動角度は、上記蓋体が反転する角度より小さく設定されていることを特徴とする撮像装置。
【請求項３】
請求項１または２に記載の撮像装置において、前記蓋体は記録媒体を保護する機能を兼ねることを特徴とする撮像装置。
【請求項４】
請求項３に記載の撮像装置において、前記表示装置が閉状態のときでも、前記記録媒体の着脱のために、前記蓋体が回動可能であることを特徴とする撮像装置。
【発明の詳細な説明】
【技術分野】
【０００１】
本発明は、表示装置のロック機構を備える撮像装置に関する。
【背景技術】
【０００２】
従来例を図５から図６を用いて説明する。図５は撮像装置本体を斜め方向から見た斜視図であり、図６は記録媒体挿入部の部分断面図である。
【０００３】
図５、４において１０１は撮像装置本体、１０２は出し入れ可能な記録媒体１１１の挿出入口を覆う蓋、１０３は撮影画像を視覚的に確認するための表示装置１０４を保持した筐体であり１０５を軸としてａ’またはａ”方向に回動自在に構成されている。さらに１０７は表示装置筐体１０３を撮像装置本体１０１と一体的に保持するためのロック爪であり、このロック爪は図６より表示装置筐体１０３上に設けられていて、１０８を軸としてｂ’またはｂ”方向に回動自在に構成されており、通常は弾性部材１１０によりｂ’方向に付勢されている。また、蓋１０２は撮像装置本体１０１上に設定された軸１２０を中心にｇ’またはｇ”方向に回動自在に構成されている。この蓋１０２上には凹部１１４が形成されており、ロック爪１０７の先端に形成された突形状部１０９がこの凹部１１４に撮像装置本体１０１の外側から係合することで、表示装置１０３がａ’方向に開くのを防いでいる。撮像装置本体１０１の使用者が撮影画像を確認するためには、ロック爪１０７をｂ”方向に回動させ、凸形状部１０９を凹部１１４から外し、表示装置筐体１０３をａ’方向に回動させ表示装置１０４が使用者の方向を向くように設定する（特許文献１参照）。
【特許文献１】特開２００２−３００４４６号公報
【発明の開示】
【発明が解決しようとする課題】
【０００４】
しかしながら、上述の従来例では、（１）表示装置筐体を撮像装置と一体的に保持するロック機構を別途設けなければならない。（２）表示装置筐体を撮像装置と一体的に保持する表示装置筐体上に設定されたロック機構が記録媒体の挿出入口を覆う蓋の外側から係合する構造となっているため、記録媒体の出し入れを行おうとしたときには、表示装置筐体を開かなくてはならず、操作性が劣る。という問題点があった。
【０００５】
本発明は上記問題点を解決するためのものであり、記録媒体の出し入れに掛かる手間を省くことで操作性を向上させ、かつコストダウンさせた撮像装置を提供することを目的とする。
【課題を解決するための手段】
【０００６】
上記目的を達成するために、本発明の撮像装置は、開閉自在に構成された表示装置と、記録媒体の挿出入口を覆い、かつ、一つの軸を中心に回動自在に構成された蓋体が、前記蓋体の先端に形成された突または凹形状と前記表示装置上に形成された凹または突形状とが係合することにより、前記表示装置を撮像装置本体と一体的な状態に保持することができるように構成された撮像装置において、その蓋体が所定の角度を境に、反転可能に回動するよう構成されたことを特徴とする。
【発明の効果】
【０００７】
本発明によれば、記録媒体を保護する蓋を、表示装置筐体の姿勢保持のためのロック機構に兼用可能に構成し、記録媒体の挿出入口を覆うことで、表示装置筐体の姿勢保持のためのロック機構を省くことができるためコストダウンにつながり、かつ、記録媒体保護蓋の開閉を表示装置筐体が閉じた状態でもできるようになるので、記録媒体の出し入れに掛かる手間が省け撮像装置の操作性が向上する。
【発明を実施するための最良の形態】
【０００８】
以下、図面を参照して本発明の実施の形態を説明する。
【０００９】
図１、２及び図７は本発明の実施形態を最もよく表した図である。図１は本発明による撮像装置を斜め方向から見た斜視図であり、図２は撮像装置本体の部分断面図である。
【００１０】
これらの図より、１は撮像装置本体で２は出し入れ自在に構成されている記録媒体１１を保護するための蓋、３は撮影画像を確認するための表示装置４を保持するための筐体であり、５の部分を軸に矢印Ａ’またはＡ”の方向に回動自在に構成されている。表示装置筐体３をＡ”方向に閉じることで表示装置筐体３と撮像装置本体１は一体的な形態をとることができる。このとき、使用者が表示装置４の画像を確認するために表示装置筐体３をＡ’の方向に回動させるには、表示装置筐体３上に設けられた突起６に指をかけながら動作を行うことができる。
【００１１】
蓋２の動作を部分断面図より見る。図２より蓋２は８を軸として矢印Ｂ’またはＢ”の方向に回動自在に構成されている。この蓋２は、１７のビスで部材１６に締結され、かつ、矢印Ｃ方向に付勢された板バネ１０の力によって、先端部７で矢印Ｂ’方向に力が掛かるようになっている。矢印Ｂ’方向に力の掛かった蓋２は撮像装置本体１上に設けられた突起部１２に突き当たって位置が保持されている。
【００１２】
図３より、蓋２を矢印Ｂ”方向に開くと、板バネ１０はビス１７と部材１６との締結部を支点に矢印Ｃ方向に力を掛けながら、矢印Ｇ方向にたわみ始める。
【００１３】
その後、蓋２はある決められた角度θ以上に開かれると、その角度θを境に板バネ１０によって今度はＢ”方向に力が掛かって、２’の位置を保持するように構成されている（図４）。このとき板バネ１０は元の位置に戻る。これによって記録媒体１１を出し入れすることができる。
【００１４】
このような蓋２に一体的に構成された先端部７には、図２のような突形状９が形成されている。また表示装置筐体３上にはこの突形状９が掛かるための凹形状１４が形成されている。表示装置筐体３が撮像装置本体１と一体的に保持されているときには、突形状９に形成された斜面が、バネ１０の力によって凹形状１４に対して長さｘ分だけ係合することで、表示装置筐体３を呼び込むようになっている。
【００１５】
またさらに、使用者が表示装置筐体３をＡ’の方向に回動させようとするときには、表示装置筐体３の動きに応じて突形状９の斜面が、凹形状１４との接触部で滑りながら係合部の長さｘだけ移動し、突形状９と凹形状１４との係合がはずれる。すると、蓋２が表示装置筐体３を保持する力が抜け、表示装置筐体３はＡ’方向への回動が可能となる。このとき、係合部ｘの長さ分だけ蓋２が回動しても、その回転角を角度θより小さく設定してあるため、蓋２は板バネ１０よりＢ’方向に力を受け、閉じた状態に戻る。
【００１６】
また図２の構成の突形状と、凹形状が入れ替わった図７のような構成も同じように考えることができる。このとき、蓋２２は２８を軸として矢印Ｅ’またはＥ”の方向に回動自在に構成されている。また蓋２２は、矢印Ｆ方向に付勢する板バネ３０の力によって先端部２７で矢印Ｅ’方向に力が掛かるようになっている。蓋２２の使用目的の一つに表示装置筐体２３の姿勢保持のためのロック機構がある。蓋２２に一体的に構成された先端部２７には凹形状２９が形成されている。さらに表示装置筐体２３上にはこの凹形状２９が掛かるための突形状３４が形成されており、それぞれはお互いに係合している。この係合部と蓋２２のＥ’方向への付勢力によって表示装置筐体２３を撮像装置本体と一体的な形態となる位置に保持することが可能となっている。
【００１７】
以上のどちらの方式においても、記録媒体を保護する蓋を、表示装置筐体の姿勢保持のためのロック機構に兼用可能に構成することで、表示装置筐体の姿勢保持のためのロック機構を省くことができるので、コストダウンにつながり、かつ、記録媒体保護蓋の開閉を表示装置筐体が閉じた状態でもできるようになるので、記録媒体の出し入れに掛かる手間が省け撮像装置の操作性が向上する。
【図面の簡単な説明】
【００１８】
【図１】本発明の実施形態を説明した撮像装置の斜視図
【図２】本発明の実施形態を説明した撮像装置の部分断面図
【図３】本発明の実施形態を説明した撮像装置の部分断面図
【図４】本発明の実施形態を説明した撮像装置の部分断面図
【図５】従来例を説明した撮像装置の斜視図
【図６】従来例を説明した撮像装置の部分断面図
【図７】本発明の実施形態を説明した撮像装置の部分断面図
【符号の説明】
【００１９】
１，１０１  撮像装置本体
２，２２，１０２  蓋
３，２３，１０３  表示装置筐体
４，１０４  表示装置
５，１０５  回動中心
６  突起部
７，１０７  蓋の先端部
８，２８，１０８、１２０  軸
９，３４，１０９  突形状部
１０，３０  板バネ
１１，１１１  記録媒体
１２  付き当て部
１４、２９，１１４  凹部
１６  部材
１７  ビス
【図１】
2005167342.tif 000003
【図２】
2005167342.tif 000004
【図３】
2005167342.tif 000005
【図４】
2005167342.tif 000006
【図５】
2005167342.tif 000007
【図６】
2005167342.tif 000008
【図７】
2005167342.tif 000009